(57)【特許請求の範囲】
【請求項１】
パネルの側面の上部に上部係止部材を突設し、下部に下部係止部材を突設し、支柱の上部には前記上部係止部材が係止する係止部を形成し、支柱の下部側面には前記下部係止部材が嵌合係止する係止穴を形成し、支柱の上部には案内管を立設し、該案内管の外周に押え部材を昇降可能に備え、更に案内管の上部には第１のピンを設けて該第１のピンにＬ形の操作レバー１２を起倒可能に備え、前記押え部材には第３のピンを設け、前記操作レバーの操作部とは反対側の作動部には第２のピンを設け、該第２のピンと前記第３のピンとをリンクで連結し、操作レバーの操作部を略水平状態に回動することにより、リンクを介して押え部材が下降して、該押え部材が前記上部係止部材を押えるとともに第２のピンが、第１のピンと第３のピンを結ぶ死点を越えるようにしたことを特徴とするパネルと支柱との連結装置。
【発明の詳細な説明】
【０００１】
【発明の属する技術分野】
本発明は展示パネル、間仕切り等のパネルと支柱との連結装置に関するものである。
【０００２】
【従来の技術】
従来、例えば図９に示すように、写真、絵画Ｐ等を展示するパネル、仕切りパネル或いはオフィス等の間仕切り等のパネルとこのパネルを支持する支柱との連結装置として、図１０に示すように、パネル１０１の側面にフック１０２を突設し、支柱１０３の上部には固定用ねじ１０４を備え、フック１０２を図８に示すように支柱１０３の上端に係止し、固定用ねじ１０４を締め付けてこれをパネル１０１の上端面に係止して、パネル１０１と支柱を連結するようにしたものがある。
【０００３】
【発明が解決しようとする課題】
ところで、前記のような、展示パネルにおいては、その展示毎にパネル１０１と支柱１０３を組み立て、分解する必要があることから、多数のパネルを使用する場合には、その組み立て、分解作業の頻度が多い。そのため、その作業の容易化が要望されている。
【０００４】
しかし、前記のような固定用ねじ１０４で連結する方法においては、その固定用ねじ１０４の回転に手間を要して前記の要望に満足に応えられない上に、固定用ねじ１０４を支柱１０３から外した場合には、これが紛失しないように管理する必要がある。
【０００５】
そこで本発明は、パネルと支柱との組み立て及び分離作業が容易で、かつ連結具が紛失しない連結装置を提供することを目的とするものである。
【０００６】
【課題を解決するための手段】
前記の課題を解決するために、請求項１記載の第１の発明は、パネルの側面の上部に上部係止部材を突設し、下部に下部係止部材を突設し、支柱の上部には前記上部係止部材が係止する係止部を形成し、支柱の下部側面には前記下部係止部材が嵌合係止する係止穴を形成し、支柱の上部には案内管を立設し、該案内管の外周に押え部材を昇降可能に備え、更に案内管の上部には第１のピンを設けて該第１のピンにＬ形の操作レバー１２を起倒可能に備え、前記押え部材には第３のピンを設け、前記操作レバーの操作部とは反対側の作動部には第２のピンを設け、該第２のピンと前記第３のピンとをリンクで連結し、操作レバーの操作部を略水平状態に回動することにより、リンクを介して押え部材が下降して、該押え部材が前記上部係止部材を押えるとともに第２のピンが、第１のピンと第３のピンを結ぶ死点を越えるようにしたことを特徴とするものである。
【０００８】
【発明の実施の形態】
図１乃至図８に示す実施例に基いて本発明の実施の形態について説明する。
【０００９】
図１はパネル１に支柱２を取り付けた状態を示し、そのパネル１の側面には、上部及び下部に位置して、フックからなる上部係止部材３及び下部係止部材４がビス５等により固定されている。
【００１０】
支柱２はパイプで形成されている。該支柱２の下部の側面には前記下部係止部材４が嵌入する係止穴６が形成されている。該係止穴６の形成位置は、その支柱２の上端２ａを前記上部係止部材３より若干下方に位置させた状態において、下部係止穴６に前記下部係止部材４を嵌入でき、この嵌入状態において支柱２をパネル１に対して上動させてその支柱２の上端２ａを上部係止部材３に図２のように係止させると係止穴６の下端部６ａが前記下部係止部材４に係止するような位置に設定されている。
【００１１】
前記支柱２の内部の上部には支板７が固定され、該支板７に案内管８がビス９により立設されている。該案内管８の上部には、パネル１の配置方向と直交する方向に第１のピン１０が水平に貫通配置され、案内管８の中間部には第１のピン１０の軸方向と平行する軸線の両側に位置して案内穴１１が形成されている。該案内穴１１は上下方向に長い長穴に形成されている。
【００１２】
前記第１のピン１０には、これを支軸として操作レバー１２が起伏可能に備えられている。該操作レバー１２は、前記第１のピン１０を中心とする略Ｌ形に形成され、その外側部が操作部１２ａに、内側部が作動部１２ｂになっている。
【００１３】
該操作レバー１２の操作部１２ａは、パネル１の上面側へ倒れるようになっている。また、パネル１の上面は図８に示すようにＵ状断面の溝１ａになっており、該溝１ａに操作レバー１２の操作部１２ａが嵌入するようになっている。
【００１４】
前記作動部１２ｂの先端部にはリンク１３が第２のピン１４により回転可能に備えられている。該リンク１３の他端部には第３のピン１５が前記第１のピン１０と平行して備えられており、該第３のピン１５の両側が前記案内管８の両案内穴１１に摺動可能に挿通されている。前記第１のピン１０と第３のピン１５と案内穴１１は同一垂直線上に配置されている。
【００１５】
前記作動部１２ｂとリンク１３及び各ピン１０，１４，１５の関係は、操作レバー１２の操作部１２ａを図５に示すように略水平にした場合に、第２のピン１４が、第１のピン１０と第３のピン１５の軸芯を結ぶ線（死点）を越えるように設定され、これらによりトグル機構を構成している。
【００１６】
前記案内管８の外周には環状の押え部材１６が昇降可能に備えられているとともに該押え部材１６に前記第３のピン１５の両端部が挿入されており、第３のピン１５の昇降移動とともに押え部材１６が昇降移動するようになっている。
【００１７】
前記案内管８の上部には、案内管８の上面と前記押え部材１６の外周を被覆するカバー１７が固設されている。なお、カバー１７と案内管８には前記の操作レバー１２の動きを阻害しないように切欠部１７ａ，８ａが形成されている。
【００１８】
次にパネル１と支柱２との連結操作について説明する。
【００１９】
パネル１と支柱２が分離された状態において、先ず、図２のように操作レバー１２の操作部１２ａを起立させて押え部材１６を上方へ引き上げた状態で、パネル１の側面に支柱２を、その下部係止穴６にパネル１の下部係止部材４を挿入して当接し、その後、その支柱２を上方へ移動させる。これにより、支柱２の上端２ａがパネル１の上部係止部材３に図２のように嵌合係止し、下部係止部材４が支柱１の下部係止穴６の下端部６ａに嵌合係止する。
【００２０】
次で、操作レバー１２の操作部１２ａを手操作により図２の矢印Ａ方向へ押し倒す。これにより、操作レバー１２は、第１のピン１０を中心として図２の時計方向に回動し、その作動部１２ｂが下方へ回動して、その第２のピン１４が、第１のピン１０と第３のピン１５の中心を結ぶ線Ｂ側へ移動する。この移動によってリンク１３は、その第３のピン１５が案内穴１１に案内されて下方へ移動しつつ起立し、その第２のピン１４が前記の線Ｂ（死点）に達し、更に、この死点を若干越える。このように第３のピン１５が下動すると、その両端部に連結された押え部材１６も同量下降し、第２のピン１４が前記のように死点を越えた時点で押え部材１６の下端１６ａがパネル１における上部係止部材３の上面３ａを図５に示すように押圧する。
【００２１】
これにより、上部係止部材３が、押え部材１６の下端１６ａと支柱２の上端２ａとで挟持され、また、下部係止穴６の下端部６ａが下部係止部材４に係止して、パネル１と支柱２とが図５のように連結される。また、トグル機構により、前記のように第２のピン１４が死点を越えているため、操作レバー１２を作業者が強制的に解除方向（図５の反時計方向）に回動しない限り、パネル１と支柱２との連結は解除されない。
【００２２】
次に、前記のパネル１と支柱２の連結状態から、この連結を解除して分離するには、図５の状態から、操作レバー１２の操作部１２ａを手操作で上方へ起こして操作レバー１２を、第１のピン１０を中心として反時計方向に回動すると、前記の連結作動とは逆の作動により、図２に示す状態となり、押え部材１６が上昇して上部係止部材３より離間し、支柱２の下動が可能になる。したがって、支柱２をパネル１に対して下動して外側へ引くことにより、支柱２を上部係止部材３及び下部係止部材４より外してパネル１より分離することができる。
【００２３】
なお、前記の実施例においては、上部係止部材３に押え部材１６を係止させるようにしたが、これに限らず、押え部材１６をパネル１の一部に係止させるようにしてもよい。
【００２４】
更に、前記実施例においては、上部係止部材３を支柱２の上端２ａに係止させるようにしたが、支柱２に下部係止穴６と同様の穴を形成して、該穴の下端に上部係止部材３を係止させるようにしてもよい。
【００２５】
また、本発明は、展示パネル、仕切りパネル、間仕切り等のパネルと支柱との連結に適用できるものである。
【００２６】
【発明の効果】
以上のようであるから、本発明によれば、操作レバーの起倒操作によりパネルと支柱とを連結したり、これを解除することができ、この連結解除の作業が、前記従来のような固定用ねじによる連結、解除の作業に比べて極めて容易になり、例えば展示パネルのようにパネルと支柱との連結、分離作業の頻度が多い場合に特に有効である。
【００２７】
更に、分離時において、前記従来の固定用ねじのような紛失するおそれのある部品がないため、部品管理が容易になる。
【図面の簡単な説明】
【図１】  本発明を適用した展示用パネルを示す正面図。
【図２】本発明のパネルと支柱との連結装置を示すもので、操作レバーを分離状態にした正断面図で図４におけるＣ−Ｃ線断面図。
【図３】図２の側断面図で図４におけるＤ−Ｄ線断面図。
【図４】図２の平面図。
【図５】図２の状態から操作レバーを倒した連結状態を示す正断面図で、図７のＥ−Ｅ線断面図。
【図６】図５の側断面図で、図７のＦ−Ｆ線断面図。
【図７】図５の平面図。
【図８】パネルの側断面図。
【図９】従来の連結装置を用いた展示パネルの正面図。
【図１０】従来の連結装置を示す正断面図。
【符号の説明】
１        パネル
２        支柱
３        上部係止部材
４        下部係止部材
６        係止穴
８        案内管
１０      第１のピン
１２      操作レバー
１２ａ    操作部
１２ｂ    作動部
１３      リンク
１４      第２のピン
１５      第３のピン
１６      押え部材
【図１】
0004319762.tif 000002
【図２】
0004319762.tif 000003
【図３】
0004319762.tif 000004
【図４】
0004319762.tif 000005
【図５】
0004319762.tif 000006
【図６】
0004319762.tif 000007
【図７】
0004319762.tif 000008
【図８】
0004319762.tif 000009
【図９】
0004319762.tif 000010
【図１０】
0004319762.tif 000011